(57)【要約】      （修正有）【課題】有効に乳首の内段にある液体流出ルートが回避できるため、空気が入ったことによる気泡現象が避けられ、乳幼児が不意に空気を余計に吸飲したために起こった腸満を防ぐことができる哺乳瓶の給気弁蓋の提供。【解決手段】給気弁蓋２の頂縁において側から内へ向いて下方へ折り曲げて貫通した曲げ状態の給気ルート２２が設けてあり;給気ルートの底端において外向きに哺乳瓶底部まで接近するほどの長さに伸びられるパイプ２３が設けてあり、そのパイプの底端に常に閉合状態を呈する給気弁３１を設けることにより、瓶外の空気を乳首のねじ込み蓋と瓶の頂段にある外ねじ溝との締め合せ隙間PSから瓶内の深くまで導入することができ、有効に乳首の内殺にある液体流出ルートN1が回避でき、またそれを瓶内の液体のあるボトムゾーンから離れるように伸ばし、空気が入ったことによる気泡現象を避けることにより、乳幼児が不意に余計な空気を吸飲したために生じた腸満を防ぐ。【選択図】図１
0003114410.tif 000002
【実用新案登録請求の範囲】
【請求項１】
哺乳瓶の瓶口の上方に跨って置かれ、乳首のねじ込み蓋によって乳首の下方に締め合わせて定位でき、また中段に液体流出ジョイント口のある給気弁蓋であり、その特徴とは、給気弁蓋の頂縁において側から内へ向いて下方へ折り曲げて貫通した曲げ状態の給気ルートが設けてあり;給気ルートの底端に哺乳瓶底部まで接近する延長パイプを一体に設けて、それにより、瓶外の空気を乳首のねじ込み蓋と瓶の頂段にある外ねじ溝との締め合せ隙間から瓶内の深くまで導入することができ、有効に乳首の内段にある液体流出ルートが回避でき、またそれを瓶内の液体のあるボトムゾーンから離れるように伸ばし、空気が入ったことによる気泡現象を避けることにより、乳幼児が不意に余計な空気を吸飲したために生じた腸満を防ぐことを特徴とする腸満を防ぐ哺乳瓶の給気弁蓋。
【請求項２】
その中において、延長パイプの中には延長パイプの底端に合わせてシリコンまたゴムで成型され、且尾端が常に閉合状態を呈する給気弁の軟性弁粒を増設することができ、それにより瓶外の空気が延長パイプに入ると給気弁を順行に押し開けて通過して哺乳瓶に入ったら、給気弁は押し力を失って閉合に復帰になったため、瓶内の液体が延長パイプ内へ逆行に入ることができなくなるのを特徴とする請求項１に記載の腸満を防ぐ哺乳瓶の給気弁蓋。
【請求項３】
その中において、哺乳瓶の底部まで接近できるような硬直性延長スリーブの頂端とジョイントして定位になるための短いジョイント棒を、給気ルートの底端に外向きに突出して設けることができ、更にその底端と合わせて尾端が常に閉合状態を呈する給気弁の軟性弁粒を増設すると、瓶外からの給気が延長できるとの予期機能に達することを特徴とする請求項１に記載の腸満を防ぐ哺乳瓶の給気弁蓋。
【請求項４】
その中においては、給気弁蓋の頂面にある環状部には突出状の定位点または定位環などを設置して、乳首の底面環状部においてそれと対称になる環状窪みと合わせることにより、乳首を給気弁蓋の上方に締め合わせる前に、予め正確に合わせることができることを特徴とする請求項１、２または３に記載の腸満を防ぐ哺乳瓶の給気弁蓋。
【請求項５】
その中においては、延長パイプ及び延長スリーブの底端を被せて設けた軟性弁粒の上段部は、拡大状態に設置する保持部に造ることができるため、弁粒が不意に脱落した時、呑み込まれたりするのを防止し、取り出したい場合でも握り持ちやすく、力入れやすくなれることを特徴とする請求項２または３に記載の腸満を防ぐ哺乳瓶の給気弁蓋。
【考案の詳細な説明】
【技術分野】
【０００１】
本考案の腸満を防ぐ哺乳瓶の給気弁蓋とは、中段に液体流出ジョイント口を有し、そして哺乳瓶の瓶口の上方に跨って設置され、乳首のねじ込み蓋によって締め合わせて定位になる給気弁蓋を提供するものに関する。その中においては、給気弁蓋の頂縁には側から内へ向いてから下方へ折り曲げて貫通した折り曲げ状態の給気ルートが設けてあり、給気ルートの底端には、哺乳瓶の底部まで接近できるほどの長さを有するパイプが設けてあり、瓶外の空気を延長スリーブを経由して瓶内の最も深い箇所へ導入するように、このパイプ底端に常に閉合状態を呈する給気弁を設けたことにより、有効に乳幼児が腸満になるのが防止できるものである。
【背景技術】
【０００２】
調査・研究によって、哺乳瓶とは主としてねじ込み蓋で哺乳瓶の上段に締め付けられた乳首を利用して乳幼児の口部に含まれたり吸われたりして瓶内にある液体を吸飲させて食事を済ませるものである。その中においては、哺乳瓶の内外圧力がバランスを取っていて初めて瓶内の液体が順調に吸飲されるため、乳首自体の下段部において微小な給気隙間の孔を設けるようにし、吸飲される過程に渡って適量に導入された瓶外からの空気がその給気隙間の孔から瓶内に入って圧力を平衡させる作用を完成するのである。
しかしながら、乳首の内段にある液体供給ルートは、吸飲される過程に渡って引力の強い液体吸飲ゾーンになるため、乳首の給気隙間の孔から導入されたばかりの瓶外空気が液体供給ルートの周り縁に位置していることになり、一部が瓶外まで吸われた液体と同時に吸出されて乳幼児の腹に入って腸満と不快をもたらした。
そこで、特許案の中に既に乳幼児の腸満を解決するための乳首または哺乳瓶の構造についての新案が多々あったが、しかしそれらの提案を実施するには必要になるものとして皆その設計した専用構造に合わせる前提があるため、既に使い慣れたり購買したりした乳首または哺乳瓶を廃棄せざるを得ないことになり、相当な浪費をもたらした。特に乳幼児にとっては普通としては新品交換または構造の違った哺乳瓶或いは乳首を変わると殆ど食事に当たって適応不良をもたらすのである。
【考案の開示】
【考案が解決しようとする課題】
【０００３】
本考案は、上記従来の問題点を解決することを課題とする。
【課題を解決するための手段】
【０００４】
本考案の主な目的とは、一種の、哺乳瓶口の上方に跨って設置できる給気弁蓋を提供して、それを乳首のねじ込み蓋で乳首の下方に締め合せて定位させ、その中段に液体流出ジョイント口を有する給気弁蓋の頂縁において、側から内へ向いてから下方へ折り曲げて貫通した折り曲げ状態の給気ルートが設けてあり、その底端から外へ向いて哺乳瓶底部に接近するまで伸びられる長さを有するパイプ及び尾端が常に閉合状態を呈する給気弁を設けて、瓶外空気が乳首のねじ込み蓋と哺乳瓶の頂段にある外ねじ山との、締め合わせ隙間から瓶内の深い箇所へ導入できるため、有効に乳首の内段にある液体流出ルートが回避でき、そして空気が乳幼児に不意に吸飲されたことで起こった腸満現象を避けるので元の哺乳瓶を交換せずに済むことを実現し、簡便で安価に哺乳瓶に腸満防止機能への付け加えが完了でき、優れた経済的効率を有することを特徴とするものである。
本考案のもう一つの目的とは、腸満を防ぐ哺乳瓶の給気弁蓋を提供することにある。その中においては、給気ルートの底端において外へ向いて哺乳瓶の底部に接近できるまでの長さを充分に有するパイプを設けて、給気ルートの底端にまた短いジョイント棒を突出させて設けることができ、更に延長スリーブによってその外周にジョイントし、定位できるため、取外し、洗浄、交換できる便利性を持つパイプになれ、一層清潔の維持及び使用上の衛生効果があることを特徴とするものである。
【考案を実施するための最良の形態】
【０００５】
本考案の構造の実施及び使用例について図1、図1-A、図2及び図3に示されたものを参考されたい。それは哺乳瓶Pの瓶口P1の上方に跨って設置されて、乳首Nのねじ込み蓋Sで乳首Nの下方に締め合わせて定位になり、且中段に液体流出ジョイントロ21を有する給気弁蓋2であり、その特徴としては給気弁蓋2の頂縁に側から内へ向いてから下方へ折り曲げて貫通した折り曲げ状態の給気ルート22が設けてあり;給気ルート22の底端において哺乳瓶底部に接近するまで伸びられる延長パイプ23を一体に設けて、それにより、瓶外空気AIRが乳首Nのねじ込み蓋と哺乳瓶Pの頂段にある外ねじ山P2との、締め合わせ隙間PSから瓶内の深い箇所へ導入でき(図3-A、図3-Bに示された如き)、瓶内における圧力の平衡効果を実現させるため、瓶内の液体Wが中段にある液体流出ジョイントロ21を通しても持続的に乳首へ供給でき;またそれにより、瓶内に補充された空気AIRが有効に乳『首Nの内段にある液体流出ルートN1が回避でき、且瓶内における液体のボトムゾーンから離れたことにより、空気が入ったことによる気泡現象が避けられるために有効に乳幼児が不意に余計な空気AIRを吸飲したために生じた腸満を防止するのである。
【０００６】
その中においては、瓶内の液体Wが逆行に延長パイプ23の中に流入するのを防止するに当たっては、延長パイプ23の底端と合わせて、他に尾端が常に閉合状態を呈する給気弁31の軟性弁粒3が増設でき、そこで瓶外空気AIRが延長パイプ23に入ったら順行に給気弁31を押し開けて通過してから瓶内Pに入ると、給気弁31は押し圧力を失ったために閉合に復帰したため、瓶内の液体Wがもう延長パイプ23内に逆行に流入できなくなる。
【０００７】
続いて図1、図1-B及び図4に示されたように、前記の延長パイプ23による給気を延長する機能との設置と相当になることで、給気ルート22の底端において、哺乳瓶の底部に接近するまで充分に伸びられる硬直性延長スリーブ4の頂端がジョイントして定位になるために、外へ突出にして短いジョイント棒24を設けて、更にその底端と合わせて尾端が常に閉合状態を呈する給気弁31の軟性弁粒3を増設すると、瓶外給気AIRが延長できるとの予期機能に達せる。
【０００８】
続いて、図1、図1-A及び図3-Aに示されたように、給気弁蓋2の頂面にある環状部には突出状の定位点25(または定位環など)を設置することにより、乳首Nの底面に対称に設置した環状窪みN2と合わせて、乳首Nを給気弁蓋2の上方に締め合わせる前に、予め正確に合わせることができる操作便利との効果に達するのである。
【０００９】
続いて図1、図1-A及び図2、図3、図3-Aに示されたように、延長パイプ23及び延長スリーブ4の底端を被せて設けた軟性弁粒3は、不意に脱落して呑み込まれるのを防ぐため、且取り出して洗浄する場合、容易に握り持ち、力入れやすくなるため、弁粒3の上毅部において拡大状態に設置される保持部32を造るようにしてもよい。
【図面の簡単な説明】
【００１０】
【図１】本考案の構造(構造例を含む)における立体分解図である。
【図１−Ａ】給気弁蓋の構造例一における参考としての立体図である。
【図１−Ｂ】給気弁蓋の構造例二における参考としての立体図である。
【図２】本考案を立体に組合せた図である。
【図３】本考案の構造例一における組合せたものの断面図である。
【図３−Ａ】本考案の構造例一における局所を拡大した断面図である
【図３−Ｂ】本考案の構造例一における作用のイメージ図である。
【図４】本考案の構造例二における組合せたものの断面図である。
【符号の説明】
【００１１】
２  給気弁蓋
21  液体流出ジョイント口
22  給気ルート
23  延長パイプ
24  短いジョイント棒
3  軟性弁粒
31  給気弁
32  保持部
4  延長スリーブ
P  哺乳瓶
S  ねじ込み蓋
P1  瓶口
P2  外ねじ山
PS  締め合わせ隙間
N  乳首
N1  液体流出ルート
N2  環状窪み
AIR  空気
W  液体
【図１】
0003114410.tif 000003
【図１−Ａ】
0003114410.tif 000004
【図１−Ｂ】
0003114410.tif 000005
【図２】
0003114410.tif 000006
【図３】
0003114410.tif 000007
【図３−Ａ】
0003114410.tif 000008
【図３−Ｂ】
0003114410.tif 000009
【図４】
0003114410.tif 000010